(57)【要約】      （修正有）【課題】取外し及び交換が便利なクリーン工場用粉塵吸着装置を提供する。【解決手段】吸着箱１の内部の両側の頂部および底部にそれぞれ複数個の係合子が固定接続され、複数個の係合子におけるそれぞれの両係合子間の距離が等しくされており、吸着箱１の外面の頂端に複数個の開放溝が開設され、複数個の開放溝がそれぞれ複数個の係合子における隣り合う両係合子間の間隔に位置され、吸着箱１の外面の両側の頂部にそれぞれ複数個の係穴が開設され、複数個の係穴の位置がそれぞれ複数個の開放溝の位置に対応しており、複数個の開放溝の内部に第１吸着板１３、２つの第２吸着板１４および２つの第３吸着板３が設置されており、第１吸着板１３の外面の頂部の両側にそれぞれ取付溝が開設され、２つの取付溝の内部にそれぞれバネおよび推杆が設置されており、推杆の外面の一側がバネに貼合され、かつ取付溝に滑動可能に接続されており、２つの第２吸着板１４および２つの第３吸着板３の内部構成が第１吸着板１３の内部構成と相同である。【選択図】図１
0003229677.tif 000002
【実用新案登録請求の範囲】
【請求項１】
吸着箱１を含み、
前記吸着箱１の内部の両側の頂部および底部にそれぞれ複数個の係合子１０が固定接続さ
れ、複数個の前記係合子１０におけるそれぞれの両係合子間の距離が等しくされており、
前記吸着箱１の外面の頂端に複数個の開放溝１１が開設され、複数個の前記開放溝１１が
それぞれ複数個の係合子１０における隣り合う両係合子間の間隔に位置され、前記吸着箱
１の外面の両側の頂部にそれぞれ複数個の係穴１２が開設され、複数個の前記係穴１２の
位置がそれぞれ複数個の開放溝１１の位置に対応しており、複数個の前記開放溝１１の内
部に第１吸着板１３、２つの第２吸着板１４および２つの第３吸着板３が設置されており
、
前記第１吸着板１３の外面の頂部の両側にそれぞれ取付溝６が開設され、２つの前記取付
溝６の内部にそれぞれバネ７および推杆８が設置されており、前記推杆８の外面の一側が
バネ７に貼合され、かつ取付溝６に滑動可能に接続されており、２つの前記第２吸着板１
４および２つの第３吸着板３の内部構成が第１吸着板１３の内部構成と相同である、
ことを特徴とするクリーン工場用粉塵吸着装置。
【請求項２】
前記吸着箱１の外面の一端に閉密板２が設置され、前記閉密板２はボルトによって吸着箱
１に固定接続されていることを特徴とする請求項１に記載のクリーン工場用粉塵吸着装置
。
【請求項３】
前記吸着箱１における閉密板２と反対側の外面の一端に送風機４が固定接続され、前記送
風機４の寸法と吸着箱１の内壁の寸法とが一致することを特徴とする請求項１に記載のク
リーン工場用粉塵吸着装置。
【請求項４】
前記吸着箱１の底面の４隅位置にそれぞれローラ５が固定接続され、４つの前記ローラ５
がそれぞれロック可能であり、且ついずれもボルトによって吸着箱１に固定接続されてい
ることを特徴とする請求項１に記載のクリーン工場用粉塵吸着装置。
【請求項５】
前記第１吸着板１３、２つの第２吸着板１４および２つの第３吸着板３の高度がいずれも
開放溝１１の深度と等しく、前記第１吸着板１３、２つの第２吸着板１４および２つの第
３吸着板３頂面の中部にそれぞれハンドル９が固定接続されていることを特徴とする請求
項１に記載のクリーン工場用粉塵吸着装置。
【請求項６】
複数個の前記推杆８の直径がいずれも係穴１２の内径と等しく、複数個の前記推杆８がそ
れぞれ係穴１２に係接されていることを特徴とする請求項１に記載のクリーン工場用粉塵
吸着装置。
【請求項７】
前記取付溝６の深度が推杆８の長度より大きく、前記取付溝６の内径がバネ７および推杆
８の直径よりわずか大きくすることを特徴とする請求項１に記載のクリーン工場用粉塵吸
着装置。
【考案の詳細な説明】
【技術分野】
【０００１】
本実用新案は、除塵デバイス・装置の技術分野に関するもので、特に、クリーン工場用粉
塵吸着装置に関する。
【従来の技術】
【０００２】
クリーン工場は、そのウォールや、頂壁の材料が、一般的に５０ｍｍのサンドイッチカラ
ースティール製とする。美しくて、高剛性、保温性が良好で、加工容易などの利点を有す
る。
【０００３】
ところが、クリーン工場で材料加工を行う時には、粉塵が発生する加工材類が大量に存在
する。適時にクリーン工場内の粉塵を整除しないと、クリーン工場の加工環境を破壊する
。さらに、工場内のスタッフの健康にも悪影響を与えることもある。したがって、ほとん
どのクリーン工場内で、粉塵吸着装置が備えられている。しかし、従来の吸着装置は、実
際の使用過程では、下記の欠陥が発見される。
【０００４】
従来の粉塵吸着装置では、粉塵を吸着する濾過層は、その取外および交換が不便である。
このため、従来の粉塵吸着装置は使用寿命が短い。
【考案の概要】
【０００５】
上記の問題を解決するために、本実用新案は以下のクリーン工場用粉塵吸着装置を提供す
る。
吸着箱１を含み、前記吸着箱１の内部の両側の頂部および底部にそれぞれ複数個の係合
子１０が固定接続され、複数個の前記係合子１０におけるそれぞれの両係合子間の距離が
等しくされており、前記吸着箱１の外面の頂端に複数個の開放溝１１が開設され、複数個
の前記開放溝１１がそれぞれ複数個の係合子１０における隣り合う両係合子間の間隔に位
置され、前記吸着箱１の外面の両側の頂部にそれぞれ複数個の係穴１２が開設され、複数
個の前記係穴１２の位置がそれぞれ複数個の開放溝１１の位置に対応しており、複数個の
前記開放溝１１の内部に第１吸着板１３、２つの第２吸着板１４および２つの第３吸着板
３が設置されており、前記第１吸着板１３の外面の頂部の両側にそれぞれ取付溝６が開設
され、２つの前記取付溝６の内部にそれぞれバネ７および推杆８が設置されており、前記
推杆８の外面の一側がバネ７に貼合され、かつ取付溝６に滑動可能に接続されており、２
つの前記第２吸着板１４および２つの第３吸着板３の内部構成が第１吸着板１３の内部構
成と相同である、クリーン工場用粉塵吸着装置である。
好ましくは、前記吸着箱１の外面の一端に閉密板２が設置され、前記閉密板２はボルト
によって吸着箱１に固定接続されている。
好ましくは、前記吸着箱１における閉密板２と反対側の外面の一端に送風機４が固定接
続され、前記送風機４の寸法と吸着箱１の内壁の寸法とが一致する。
好ましくは、前記吸着箱１の底面の４隅位置にそれぞれローラ５が固定接続され、４つ
の前記ローラ５がそれぞれロック可能であり、且ついずれもボルトによって吸着箱１に固
定接続されている。
好ましくは、前記第１吸着板１３、２つの第２吸着板１４および２つの第３吸着板３の
高度がいずれも開放溝１１の深度と等しく、前記第１吸着板１３、２つの第２吸着板１４
および２つの第３吸着板３頂面の中部にそれぞれハンドル９が固定接続されている。
好ましくは、複数個の前記推杆８の直径がいずれも係穴１２の内径と等しく、複数個の
前記推杆８がそれぞれ係穴１２に係接されている。
好ましくは、前記取付溝６の深度が推杆８の長度より大きく、前記取付溝６の内径がバ
ネ７および推杆８の直径よりわずか大きくする。
【０００６】
本実用新案は、以下の所長がる。
（１）該クリーン工場用粉塵吸着装置は、吸着箱の内部に複数個の係合子が設けられ、複
数個の係合子間に第１吸着板、第２吸着板および第３吸着板が係接され、吸着板の外面の
両側の頂部にそれぞれ取付溝が開設され、取付溝の内部にバネが設置され、かつ取付溝の
内部に推杆が滑動可能に接続され、また吸着箱の外面の両側にそれぞれ係穴が開設される
ので、その使用際では、推杆と係穴を係接させることで、位置を固定する機能を発揮でき
るので、取外および交換が便利である。
【０００７】
（２）該クリーン工場用粉塵吸着装置は、また、吸着箱の内部に１つの第１吸着板、２つ
の第２吸着板および２つの第３吸着板が設けられ、第１吸着板、第２吸着板および第３吸
着板の網穴径が順次に減少されるので、装置全体の浄化効果を保証でき、実用性が広範囲
である。また、第１吸着板、第２吸着板および第３吸着板の頂面にそれぞれハンドルが固
定接続され流ので、使用が便利である。
【図面の簡単な説明】
【０００８】
【図１】本実用新案の手前側の斜視構成模式図。
【図２】本実用新案の裏側の斜視構成模式図。
【図３】本実用新案の吸着箱の構成模式図。
【図４】本実用新案の第１吸着板の断面構成模式図。
【考案を実施するための形態】
【０００９】
以下、図面とともに、本実施形態を説明する。
図１〜図４に示されるように、本クリーン工場用粉塵吸着装置は、吸着箱１を含み、吸着
箱１の内部の両側の頂部および底部にそれぞれ複数個の係合子１０が固定接続され、複数
個の係合子１０におけるそれぞれの両係合子間の距離が等しくされており、吸着箱１の外
面の頂端に複数個の開放溝１１が開設され、複数個の開放溝１１がそれぞれ複数個の係合
子１０における隣り合う両係合子間の間隔に位置され、吸着箱１の外面の両側の頂部にそ
れぞれ複数個の係穴１２が開設され、複数個の係穴１２の位置がそれぞれ複数個の開放溝
１１の位置に対応しており、複数個の開放溝１１の内部に第１吸着板１３、２つの第２吸
着板１４および２つの第３吸着板３が設置されており、第１吸着板１３の外面の頂部の両
側にそれぞれ取付溝６が開設され、２つの取付溝６の内部にそれぞれバネ７および推杆８
が設置されており、推杆８の外面の一側がバネ７に貼合され、かつ取付溝６に滑動可能に
接続されており、２つの第２吸着板１４および２つの第３吸着板３の内部構成が第１吸着
板１３の内部構成と相同である。
【００１０】
一実施形態として、吸着箱１の外面の一端に閉密板２が設置され、閉密板２がボルトによ
って吸着箱１に固定接続されている。閉密板２によって、大きな不純物の吸着箱１への侵
入を遮蔽するという目的を達成することができる。また、ボルトによって位置を固定する
ことで、便利に取付および取外を行うという目的を達成することができる。
【００１１】
一実施形態として、吸着箱１における閉密板２と反対側の外面の一端に送風機４が固定接
続され、送風機４の寸法と吸着箱１の内壁の寸法とが一致する。送風機４によって粉塵を
吸着箱１内へ吸入するとともに、吸入した空気を順次に第１吸着板１３、２つの第２吸着
板１４および２つの第３吸着板３を通過させることができるので、空気粉塵を吸着すると
いう機能を発揮する。
【００１２】
一実施形態として、吸着箱１の底面の４隅位置にそれぞれローラ５が固定接続され、４つ
のローラ５がいずれもロック可能とし、かついずれもボルトによって吸着箱１に固定接続
される。ローラ５によって使用者により装置全体を移動することができるとともに、ボル
トによってローラ５を固定することで、便利に取付および取外を行うという目的を達成す
ることができる。
【００１３】
一実施形態として、第１吸着板１３、２つの第２吸着板１４および２つの第３吸着板３の
高度がいずれも開放溝１１の深度と等しく、第１吸着板１３、２つの第２吸着板１４およ
び２つの第３吸着板３頂面の中部にそれぞれハンドル９が固定接続されている。ハンドル
９によって、使用者により持ち上げることが可能であり、使用が快適である。
【００１４】
一実施形態として、複数個の推杆８の直径がいずれも係穴１２の内径と等しく、複数個の
推杆８がそれぞれ係穴１２に係接される。使用際に、推杆８と係穴１２とが係接するので
、位置を固定する機能を発揮するので、便利に取付および取外を行うという目的を達成す
ることができる。
【００１５】
一実施形態として、取付溝６の深度が推杆８の長度より大きく、取付溝６の内径がバネ７
および推杆８の直径よりわずかに大きくする。これによって推杆８を取付溝６内に収納す
ることができるので、第１吸着板１３、２つの第２吸着板１４および２つの第３吸着板３
を順調に取り出すことができる。
＜本実用新案の動作原理＞
【００１６】
使用際においては、吸着箱１の内部に複数個の係合子１０が設けられ、複数個の係合子１
０間に第１吸着板１３、第２吸着板１４および第３吸着板３が係接され、吸着板の外面の
両側の頂部にそれぞれ取付溝６が開設され、取付溝６の内部にバネ７が設置され、かつ取
付溝６の内部に推杆８が滑動可能に接続され、また吸着箱１の外面の両側にそれぞれ係穴
１２が開設されるので、その使用際では、推杆８と係穴１２を係接させることで、位置を
固定する機能を発揮できるので、取外および交換が便利である。また、吸着箱の内部に１
つの第１吸着板１３、２つの第２吸着板１４および２つの第３吸着板３が設けられ、第１
吸着板１３、第２吸着板１４および第３吸着板３の網穴径が順次に減少されるので、装置
全体の浄化効果を保証でき、実用性が広範囲である。また、第１吸着板１３、第２吸着板
１４および第３吸着板３の頂面にそれぞれハンドル９が固定接続され流ので、使用が便利
である。
【００１７】
述べたものは、本考案の実施形態だけであり、前記の具体のな実施形態は、普通技術者は
本考案の原理と精神の範疇内において、各種の変形及び修正、置換、変形を行うことがで
きる。本実用新案の保護範囲は、実用新案登録請求の範囲及びその均等物である。
【符号の説明】
【００１８】
１  吸着箱
２  閉密板
３  第３吸着板
４  送風機
５  ローラ
６  取付溝
７  バネ
８  推杆
９  ハンドル
１０  係合子
１１  開放溝
１２  係穴
１３  第１吸着板
１４  第２吸着板
【図１】
0003229677.tif 000003
【図２】
0003229677.tif 000004
【図３】
0003229677.tif 000005
【図４】
0003229677.tif 000006